(57)【要約】【課題】  簡易組み立ての弧形収納装置の提供。【解決手段】  簡易組み立ての弧形収納装置であって、主に、フレーム体と収納素子からなり、フレーム体は相互に枢接する外フレームと内フレームからなり、内フレームは外フレームの内径の範囲内に枢設されて、扁平状に収合でき、且つ、外フレームと内フレームの相対する両側は、外側に突出する円弧形を形成して、展開後、大きい収納空間を構成する。収納素子の両側は、内、外フレーム両側弧度に対応する円弧形で、収納素子の上端両側は、それぞれ、内フレーム、及び、外フレームの上辺に固定され、且つ、下端両側は、それぞれ、内フレーム、及び、外フレームの下辺に固定される。【選択図】    図１
0003140492.tif 000002
【実用新案登録請求の範囲】
【請求項１】
簡易組み立ての弧形収納装置であって、主に、フレーム体と収納素子からなり前記フレーム体は相互に枢接する外フレームと内フレームからなり、前記外フレームと前記内フレームの相対する両側は、外側に突出する円弧形を形成し、前記収納素子の両側は、前記内、外フレーム両側弧度に対応する円弧形で、前記収納素子の上端両側は、それぞれ、前記内フレーム、及び、前記外フレームの上辺に固定され、且つ、下端両側は、それぞれ、前記内フレーム、及び、外フレームの下辺に固定されることを特徴とする簡易組み立ての弧形収納装置。
【請求項２】
前記収納素子の上端と下端は、それぞれ、粘着テープを設置することを特徴とする請求項１に記載の簡易組み立ての弧形収納装置。
【請求項３】
前記収納素子の上端両側は、スカートを設置し、且つ、下端は粘着テープを設置することを特徴とする請求項１に記載の簡易組み立ての弧形収納装置。
【考案の詳細な説明】
【技術分野】
【０００１】
本考案は、物品を収納する簡易組み立ての弧形収納装置に関する。
【背景技術】
【０００２】
一般の簡易型収納箱、棚は、充分な強度を有する撓性の材質からなる。その構造は、通常、上下左右と後面に面材を設置し、前方は開放状態であり、複数の仕切り層により複数の空間を区切っている。吊り形式の棚の場合、上方にホールを設置し、フックを設置して、棚中、或いは、壁上の棒に掛けてもいいし、上方にマジックテープ（登録商標）を設置して、箪笥や棚中の棒に固定してもよい。
【０００３】
更に、収納箱、棚の消費者は、家庭の空間が小さいので、不使用時に折りたたみやすいかどうかを重視する。
【考案の開示】
【考案が解決しようとする課題】
【０００４】
本考案の目的は、組み立て、及び、収合が充分に便利で、美観も兼ね備えた収納装置を提供することにある。
【課題を解決するための手段】
【０００５】
本考案の特徴は、フレーム体と収納素子とからなり、フレーム体は相互に枢接する外フレームと内フレームからなり、内フレームは外フレームの内径の範囲内に枢設されて、扁平状に収合でき、且つ、外フレームと内フレームの相対する両側は、外側に突出する円弧形を形成して、展開後、大きい収納空間を構成する。収納素子の両側は、内、外フレーム両側弧度に対応する円弧形で、収納素子の上端両側は、それぞれ、内フレーム、及び、外フレームの上辺に固定され、且つ、下端両側は、それぞれ、内フレーム、及び、外フレームの下辺に固定される。
【考案の効果】
【０００６】
本考案の収納装置は、組み立て、及び、収合が充分に便利で、美観も兼ね備えている。
【考案を実施するための最良の形態】
【０００７】
図１を参照すると、本考案の弧形収納装置は、フレーム体１と収納素子とからなる。フレーム体１は、外フレーム１１と内フレーム１２からなり、内フレーム１２は外フレーム１１の内径の範囲内に枢設されて、且つ、外フレーム１１と内フレーム１２の相対両側は、外側に突出する円弧形を形成する。外フレーム１１と内フレーム１２が旋転して、交差状に展開する時、地面に直立し、その後、収納素子がフレーム体１上に装着される。図１で示される収納素子は、充分な強度を有する撓性面材（例えば、布）を材料としてなる物品を放置できる収納棚２である。収納棚２は、二個の相対する位置の側壁２１を有し、上下で封閉できるが、前方と後方は、物品を出し入れできる開口を有する。収納棚２の内部は、複数の水平仕切り板２２により複数の置放空間を仕切る。水平仕切り板２２は、撓性素子により剛性の板体を被覆し、水平仕切り板２２の三辺は両側壁２１と収納棚後側に固定される。この他、収納棚２の相対する両側壁２１は、内フレーム１２と外フレーム１１両側に対応する弧度の円弧形をなし、収納棚２の上端両側は、それぞれ、上粘着テープ片２３を設置して、内フレーム１２と外フレーム１１の上辺に固定し、且つ、収納棚２の下端両側は、それぞれ、下粘着テープ片２４を設置して、内フレーム１２と外フレーム１１の下辺に固定する。
【０００８】
図２は、本考案の収納棚２を示し、複数の水平仕切り板２２と垂直仕切り板２２１により、内部空間を更に多くの置物空間に仕切る。
【０００９】
本考案の収納素子は、汚れた洗濯物を入れる洗濯袋３とすることもでき、図３で示されるように、洗濯袋３上方は開口を有して、開口の相対する両側はスカート３１を設置して、直立後の外フレーム１１と内フレーム１２の上辺に係合する。フレーム体１により、洗濯袋３を立たせる。洗濯袋３の両側下方は粘着テープ３３を設置して、外フレーム１１と内フレーム１２の下方に固定する。この他、洗濯袋３のスカート３１上に、更に、開口３２を設置して、外フレーム１１と内フレーム１２の上方で開口３２を露出して、持ちやすくすることもできる。
【００１０】
図４は、本考案の洗濯袋３を示す図で、袋体内に仕切り板３４を設置し、洗濯袋３の内部を更に仕切る。
【００１１】
図５Aと図５Bは、本考案のフレーム体１を表示し、外フレーム１１と内フレーム１２を有し、外フレームと内フレームの好ましい実施例は、環境を考慮した竹材を採用し、竹材を湾曲して、封閉するフレーム体に成型する。相対する両側辺は、外側方向に突出する円弧形である。外フレーム１１の相対する両側の内側面に枢軸１１１を設置し、内フレーム１２の相対する両側は、枢軸１１１と旋転する枢孔１２１を形成する。枢軸１１１と枢孔１２１組み合わせ後、内フレーム１２と外フレーム１１の枢接を完成し、不使用時、収納棚２、或いは、洗濯袋３はフレーム体１から取り外し、折りたたんで、フレーム体１を扁平状にする（図６）ことができ、収蔵に便利である。
【図面の簡単な説明】
【００１２】
【図１】本考案のフレーム体と収納棚の組み合わせ後の立体図である。
【図２】本考案の収納棚を異なる形式に変更した立体図である。
【図３】本考案のフレーム体と洗濯袋の組み合わせ後の立体図である。
【図４】本考案の洗濯袋を異なる形式に変更した立体図である。
【図５Ａ】本考案のフレーム体を構成する素子の組み合わせ構造立体図である。
【図５Ｂ】図５Aの素子組み合わせ後の立体図である。
【図６】本考案のフレーム体、収納棚、及び、洗濯袋を分離し、収合、折り畳み後の実施例を示す図である。
【符号の説明】
【００１３】
１…フレーム体
１１…外フレーム
１１１…枢軸
１２…内フレーム
１２１…枢孔
２…収納棚
２１…側壁
２２…水平仕切り板
２２１…垂直仕切り板
２３…上粘着片
２４…下粘着片
３…洗濯袋
３１…スカート
３２…開口
３３…粘着テープ
３４…仕切り板
【図１】
0003140492.tif 000003
【図２】
0003140492.tif 000004
【図３】
0003140492.tif 000005
【図４】
0003140492.tif 000006
【図５Ａ】
0003140492.tif 000007
【図５Ｂ】
0003140492.tif 000008
【図６】
0003140492.tif 000009